(57)【要約】【課題】壁に確実に固定し得る足場支持具を提供する。【解決手段】足場部材３３を把持する足場部材把持手段３５を後端に備えた支持杆３７と、壁３１に穿設された挿入孔３９内に挿入される固定具４１とよりなり、該支持杆の前端にはボルト５３を突設し、該ボルトには座金５９を介してナット６１を螺合させ、該固定具の後端には該ボルトに対応する雌ねじを形成した足場支持具において、前記挿入孔は壁を貫通させ、前記固定具の前端には該固定具の長さ方向と直角方向の支軸６５を備えさせ、該支軸には回動杆６７を回動自在に支持させ、該固定具には該回動杆の回動を許すように開口部を備えさせ、該固定具と回動杆との間には該回動杆を固定具の長さ方向と直角の方向に付勢するばねを取り付けたことを特徴とする足場支持具。【選択図】図１
2007126829.tif 000002
【特許請求の範囲】
【請求項１】
足場部材を把持する足場部材把持手段を後端に備えた支持杆と、壁に穿設された挿入孔内に挿入される固定具とよりなり、該支持杆の前端にはボルトを突設し、該ボルトには座金を介してナットを螺合させ、該固定具の後端には該ボルトに対応する雌ねじを形成した足場支持具において、
前記挿入孔は壁を貫通させ、
前記固定具の前端には該固定具の長さ方向と直角方向の支軸を備えさせ、該支軸には回動杆を回動自在に支持させ、該固定具には該回動杆の回動を許すように開口部を備えさせ、
該固定具と回動杆との間には該回動杆を固定具の長さ方向と直角の方向に付勢するばねを取り付けたことを特徴とする足場支持具。
【請求項２】
足場部材を把持する足場部材把持手段を後端に備えた支持杆と、壁に穿設された挿入孔内に挿入される固定具とよりなり、該支持杆の前端にはボルトを突設し、該ボルトには座金を介してナットを螺合させ、該固定具の後端には該ボルトに対応する雌ねじを形成した足場支持具において、
前記挿入孔は壁を貫通させ、
前記固定具の前端には該固定具の長さ方向と直角方向の支軸を備えさせ、該支軸には一対の回動アームを開閉自在になるように回動自在に支持させ、該固定具には該回動アームの回動を許すように開口部を備えさせ、
該固定具と回動アームとの間には該回動アームを閉じる方向に付勢するばねを取り付けたことを特徴とする足場支持具。
【発明の詳細な説明】
【技術分野】
【０００１】
本発明は、足場支持具に関するものであり、例えば建物における壁の塗装、補修等の工事を行う際に該壁に近接させた状態で配設される足場を支持するための足場支持具に係るものである。
【背景技術】
【０００２】
足場支持具としては、図８〜図１０に示すもの（以下「従来の足場支持具」とい。）が従来より使用されている。
【０００３】
従来の足場支持具は、足場部材を把持する足場部材把持手段を後端に備えた支持杆１と、壁３に穿設された挿入孔５内に挿入される略円筒状の固定具７とよりなり、
前記支持杆１の前端にはボルト９を突設し、該ボルト９には座金１１を介してナット１３を螺合させ、
前記固定具７には外周に回り止め１４を備えさせると共に該固定具７を貫通する中央孔１５を設け、該中央孔１５の後端にはボルト９に対応する雌ねじ１７を形成し、該中央孔１５の前部をテーパ状に形成してテーパ部１９となし、該中央孔１５内には前端２１ａをテーパ状に形成した押圧棒２１を嵌着し、前記固定具７の前部を長さ方向に四分割することにより該前部を拡張部２３としてなるものである。
【０００４】
従来の足場支持具を使用する際には、固定具７の雌ねじ１７に支持杆１前端のボルト９を螺合させた状態で、壁３に穿設された挿入孔５内の最奥部まで固定具７を挿入し、該支持杆１を回転させることによりボルト９を回転させて前進させる。すると、該ボルト９は固定具７の中央孔１５内に嵌着された押圧棒２１を前進させ、該押圧棒２１前端のテーパ部２１ａが固定具７の拡張部２３を外方に押し広げる。しかるときは、固定具７の拡張部２３は壁３の挿入孔５の内面に圧接し、固定具７を挿入孔５内に固定する。更に、ボルト９に螺合させたナット１３を締め付け、座金１を壁３の後面３ａに圧接させる。
【０００５】
その結果、支持杆１は壁３に固定される。この状態で、支持杆１後端の足場部材把持手段に足場部材を把持させるのである。
【０００６】
なお、本出願において「前」とは足場から壁に向かう方向（図中の左方向）をいい、「後」とは「前」と反対の方向（図中の右方向）をいうものとする。
【０００７】
実開平７−４６８２号公報は上記従来の足場支持具における固定具と同様の足場固定用ボルト取付金具を開示している。
【特許文献１】実開平７−４６８２号公報
【発明の開示】
【発明が解決しようとする課題】
【０００８】
しかるに、上記従来の足場支持具には次のような問題がある。
【０００９】
（イ）固定具の拡張部を壁に穿設された挿入孔の内面に圧接させることにより固定具を挿入孔内に固定するようにしているため、挿入孔内で固定具が足場方向に後退するおそれがある。即ち、足場が前後に揺れるおそれがある。
【００１０】
（ロ）足場が前後に揺れる度に軟弱な壁材が拡大して固定具が挿入孔から抜け出すおそれがある。
【００１１】
（ハ）固定具の拡張部を広げすぎると、壁材が爆裂し、挿入孔の固定力が失われる。
【００１２】
（ニ）固定具が壁の挿入孔から抜け出し、或いは壁材が爆裂し、挿入孔の固定力が失われたときには、支持杆が落下し、足場が崩れるという危険が生ずるおそれもある。
【００１３】
本発明は、上記従来の足場支持具における上述の如き問題を解決し、壁に確実に固定し得る足場支持具を提供しようとしてなされたものである。
【課題を解決するための手段】
【００１４】
上記課題を解決するために、本発明は下記の足場支持具を提供する。
【００１５】
（１）足場部材を把持する足場部材把持手段を後端に備えた支持杆と、壁に穿設された挿入孔内に挿入される固定具とよりなり、該支持杆の前端にはボルトを突設し、該ボルトには座金を介してナットを螺合させ、該固定具の後端には該ボルトに対応する雌ねじを形成した足場支持具において、
前記挿入孔は壁を貫通させ、
前記固定具の前端には該固定具の長さ方向と直角方向の支軸を備えさせ、該支軸には回動杆を回動自在に支持させ、該固定具には該回動杆の回動を許すように開口部を備えさせ、
該固定具と回動杆との間には該回動杆を固定具の長さ方向と直角の方向に付勢するばねを取り付けたことを特徴とする足場支持具（請求項１）。
【００１６】
（２）足場部材を把持する足場部材把持手段を後端に備えた支持杆と、壁に穿設された挿入孔内に挿入される固定具とよりなり、該支持杆の前端にはボルトを突設し、該ボルトには座金を介してナットを螺合させ、該固定具の後端には該ボルトに対応する雌ねじを形成した足場支持具において、
前記挿入孔は壁を貫通させ、
前記固定具の前端には該固定具の長さ方向と直角方向の支軸を備えさせ、該支軸には一対の回動アームを開閉自在になるように回動自在に支持させ、該固定具には該回動アームの回動を許すように開口部を備えさせ、
該固定具と回動アームとの間には該回動アームを閉じる方向に付勢するばねを取り付けたことを特徴とする足場支持具（請求項２）。
【００１７】
［発明の作用］
［請求項１の発明］
足場支持具を使用する際には、固定具の雌ねじに支持杆前端のボルトを螺合させ、回動杆を固定具の長さ方向に向けた状態で該回動杆の後端にボルトの前端を当接させる。このことにより、回動杆はばねの力に抗して固定具の長さ方向に保持される。図２参照。
【００１８】
続いて、固定具を壁に穿設された挿入孔内に挿通させ、該固定具の前部を挿入孔より壁の外方に突出させる。この状態で支持杆を回転させることによりボルトを回転させて後退させ、ボルトの先端を回動杆の後端から離す。しかるときは、回動杆はばねの力により固定具の長さ方向と直角の方向に回動する。図３参照。この状態で、支持杆を後退させて回動杆を壁の前面に当接させる。
【００１９】
更に、ボルトに螺合させたナットを締め付け、座金を壁の後面に圧接させる。図４参照。
【００２０】
以上により、固定具は壁に固定される。即ち、支持杆は壁に固定される。そこで、支持杆後端の足場把持手段に足場部材を把持させる。図１参照。
【００２１】
なお、壁に穿設された挿入孔は、工事後、適宜補修する。
【００２２】
［請求項２の発明］
足場支持具を使用する際には、固定具の雌ねじに支持杆前端のボルトを螺合させ、該ボルトの前端をばねの力により閉じた状態に保持されている一対の回動アームの先端間に位置させる。図５参照。
【００２３】
続いて、固定具を壁に穿設された挿入孔内に挿通させ、該固定具の前部を挿入孔より壁の外方に突出させる。この状態で支持杆を回転させることによりボルトを回転させて前進させる。図６参照。しかるときは、ボルトの前端は一対の回動アームをばねの力に抗して押し広げて開く。この状態で、支持杆を後退させて回動アームを壁の前面に当接させる。
【００２４】
更に、ボルトに螺合させたナットを締め付け、座金を壁の後面に圧接させる。図７参照。
【００２５】
以上により、固定具は壁に固定される。即ち、支持杆は壁に固定される。そこで、支持杆後端の足場把持手段に足場部材を把持させる。
【００２６】
請求項２の足場支持具においては、ボルトを反対方向に回転させることによりボルトを後退させたときには、一対の回動アームはばねの力により閉じて固定具内における元の位置に復帰する。
【００２７】
従って、回動アームが壁の前面に当接した状態から支持杆を一旦前進させた後、足場方向に後退させることにより、ボルトの前端に螺合している固定具を回収し、再使用することもできる。
【００２８】
なお、壁に穿設された挿入孔は、工事後、適宜補修する。
【発明の効果】
【００２９】
［請求項１の発明］
固定具は、壁に穿設された挿入孔の内面に固定されるのではなく、固定具の回動杆が壁の前面に当接し、支持杆は該回動杆とボルト（座金）とにより壁に固定される。換言すれば、回動杆とボルト（座金）とが壁を前後両面から挟持することにより、支持杆は壁に強力に固定される。
【００３０】
従って、足場が前後に揺れたり、軟弱な壁材が拡大して固定具が挿入孔から抜け出すおそれはなく、更に、壁材が爆裂し、挿入孔の固定力が失われることもない。
【００３１】
即ち、足場は壁に確実に固定される。
【００３２】
［請求項２の発明］
請求項２の発明は、上記請求項１の発明と同様の効果を発揮するほか、更に下記の効果を発揮する。
【００３３】
固定具の使用後、ボルトの前端に螺合している固定具を回収し、再使用することもできる。
【発明を実施するための最良の形態】
【００３４】
まず、図１〜図４に示す事例について説明する。
【００３５】
符号３１に示すものは建物の壁であり、符号３３に示すものは壁３１に近接させた状態で配設される足場を構成する足場部材である。
【００３６】
本発明による足場支持具は、足場部材３３を把持する足場部材把持手段３５を後端に備えた支持杆３７と、壁３１に穿設された挿入孔３９内に挿入される固定具４１とよりなる。
【００３７】
壁３１は、例えば、ＡＬＣ、サイディング、モルタル等により形成される。
【００３８】
足場部材把持手段３５は、一例として、図１に示すように、一対の挟持片４３ａ、４３ｂを軸４５に開閉自在に取り付け、一方の挟持片４３ａにはボルト４７の一端を回動自在に軸着し、該ボルト４７にナット４９を螺合させ、該ボルト４７を他方の挟持片４３ｂの先端に形成した凹状係止部５１に係脱自在に係止し、ナット４９を締め付けることにより一対の挟持片４３ａ、４３ｂを足場部材３３に圧接するようにしてなるものである。
【００３９】
前記支持杆３７の前端にはボルト５３を突設する。
【００４０】
図１に示す事例においては、筒状の支持杆３７内に内杆５５を摺嵌し、支持杆３７を内外に貫通するねじ５７により該内杆５５を支持杆３７に対する所定の位置に固定するようにしている。
【００４１】
ボルト５３には座金５９を介してナット６１を螺合させる。
【００４２】
前記固定具４１の後端には該ボルト５３に対応する雌ねじ６３を形成する。
【００４３】
固定具４１は、壁３１に穿設される挿入孔３９との関係において、該挿入孔３９内で回転することのない形状を備えたものとする。
【００４４】
挿入孔３９は壁３１を前後方向に貫通させる。
【００４５】
固定具４１の前端には該固定具４１の長さ方向と直角方向の支軸６５を備えさせる。
【００４６】
支軸６５には回動杆６７を回動自在に支持させる。
【００４７】
固定具４１には該回動杆６７の回動を許すように開口部６９を備えさせる。図示の事例における固定具４１は、細長板状体を略コ字状に折曲してなるものである。
【００４８】
固定具４１と回動杆６７との間には該回動杆６７を固定具４１の長さ方向と直角の方向（図１、図４参照）に付勢するばね７１を取り付ける。
【００４９】
次に、図５〜図７に示す事例について説明する。なお、この事例に関しては、上記図１〜図４に示す事例と異なる点についてのみ説明する。
【００５０】
固定具４１の長さ方向と直角方向に設けられた支軸６５には、一対の回動アーム７３ａ、７３ｂを開閉自在になるように回動自在に支持させる。
【００５１】
図示の各回動アーム７３ａ、７３ｂは、支軸６５に取り付けられた基部から先端に向かって徐々細くなるテーパ状に形成されている。
【００５２】
固定具４１と回動アーム７３ａ、７３ｂとの間には該回動アーム７３ａ、７３ｂを閉じる方向に付勢するばね７５を取り付ける。
【図面の簡単な説明】
【００５３】
【図１】本発明による足場支持具の一例を示す側面図である。
【図２】同上足場支持具におけるボルトと固定具とを示す側面図である。
【図３】同上足場支持具において、固定具の前部を挿入孔より壁の外方に突出させた状態を示す断面図である。
【図４】同上足場支持具を壁に固定した状態を示す断面図である。
【図５】本発明による足場支持具の別の一例を示す側面図である。
【図６】同上足場支持具において、固定具の前部を挿入孔より壁の外方に突出させた状態を示す断面図である。
【図７】同上足場支持具を壁に固定した状態を示す断面図である。
【図８】従来の足場支持具におけるボルトと固定具とを示す側面図である。
【図９】同上足場支持具を壁に固定した状態を示す断面図である。
【図１０】同上足場支持具における固定具の正面図である。
【符号の説明】
【００５４】
１  支持杆
３  壁
５  挿入孔
７
固定具
９  ボルト
１１座金
１３
ナット
１４  回り止め
１５  中央孔
１７  雌ねじ
１９  テーパ部
２１
押圧棒
２３  拡張部
３１   壁
３３  足場部材
３５  足場部材把持手段
３７  支持杆
３９  挿入孔
４１
固定具
４３ａ
挟持片
４３ｂ  挟持片
４５  軸
４７
ボルト
４９
ナット
５１  凹状係止部
５３  ボルト
５５  内杆
５７  ねじ
５９
座金
６１
ナット
６３  雌ねじ
６５
支軸
６７
回動杆
６９  開口部
７１  ばね
７３a   回動アーム
７３ｂ
回動アーム
７５  ばね
【図１】
2007126829.tif 000003
【図２】
2007126829.tif 000004
【図３】
2007126829.tif 000005
【図４】
2007126829.tif 000006
【図５】
2007126829.tif 000007
【図６】
2007126829.tif 000008
【図７】
2007126829.tif 000009
【図８】
2007126829.tif 000010
【図９】
2007126829.tif 000011
【図１０】
2007126829.tif 000012